(57)【要約】  【課題】  この発明の課題は、画像読取装置の使用状態（原稿読取り状態）での作業スペースをも縮小できるようにして設置スペースを小さくすることを可能にする画像読取装置を提供することにある。  【解決手段】  他の装置に略垂直に付設した状態で読取り原稿をセットする透明板又は半透明板で形成する板と、前記板の表面又は裏面にセットする前記読取り原稿を読取る読取りユニットと、前記読取りユニットを前記板に対向して横方向又は縦方向に移動させる駆動部とを備える。【選択図】            図１
2007142707.tif 000002
【特許請求の範囲】
【請求項１】
他の装置に略垂直に付設した状態で読取り原稿をセットする透明板又は半透明板で形成する板と、
前記板の表面又は裏面にセットする前記読取り原稿を読取る読取りユニットと、
前記読取りユニットを前記板に対向して横方向又は縦方向に移動させる駆動部とを備える、
ことを特徴とした、画像読取装置。
【請求項２】
前記画像読取装置において、
前記板は、表示装置の表示画面の前面に付設する、
ことを特徴とした、請求項１記載の画像読取装置。
【請求項３】
前記画像読取装置において、
前記板は、壁面又は壁面に掛けられたボードの前面に付設する、
ことを特徴とした、請求項１記載の画像読取装置。
【請求項４】
前記画像読取装置において、
前記板は、当該板にセットする前記読取り原稿の下辺を支える支え部を備える、
ことを特徴とした、請求項１記載の画像読取装置。
【請求項５】
前記画像読取装置において、
前記板は、当該板にセットする前記読取り原稿を挟むことで前記読取り原稿の倒れ込みを防止する挟みガイドを備える、
ことを特徴とした、請求項１記載の画像読取装置。
【請求項６】
前記画像読取装置において、
前記読取りユニットを副走査方向の起点側から終点側へと移動させて読取り動作を行った後に前記終点側で停止し、次に読取り動作を行う時に前記読取りユニットを前記終点側から前記起点側へと移動させて読取り動作を行う、
ことを特徴とした、請求項１記載の画像読取装置。
【発明の詳細な説明】
【技術分野】
【０００１】
この発明は、原稿固定型の画像読取装置に関し、特に他の装置に付設して設置スペースを小さくすることを可能にする画像読取装置に関するものである。
【背景技術】
【０００２】
ユーザが画像読取装置を利用する場合の画像読取装置の設置面積は、画像読取装置を机の上に置くことでの画像読取装置の投影面積によって決まり、当該画像読取装置の設置面積を縮小する場合の通常の目安となる。さらに、読取り原稿の供給、排出といった原稿搬送スペースも考慮する必要がある。
【０００３】
従来の画像読取装置は、装置を小型化することを目的とし、スキャナを内蔵する可動部を有し、原稿を読み取る時のみ、上方に回動して使用され、通常は装置に収納されている画像読取装置が開示されている。
（特許文献１を参照）
【０００４】
【特許文献１】特開平０９−１１６７４５号公報
【発明の開示】
【発明が解決しようとする課題】
【０００５】
従来の画像読取装置は、読取り原稿の供給、排出といった原稿搬送スペースを必要とするものであり、画像読取装置の使用状態（原稿読取り状態）での作業スペースを縮小できないものである。
【０００６】
この発明の課題は、画像読取装置の使用状態（原稿読取り状態）での作業スペースをも縮小できるようにして設置スペースを小さくすることを可能にする画像読取装置を提供することにある。
【課題を解決するための手段】
【０００７】
本発明の画像読取装置は、他の装置に略垂直に付設した状態で読取り原稿をセットする透明板又は半透明板で形成する板と、前記板の表面又は裏面にセットする前記読取り原稿を読取る読取りユニットと、前記読取りユニットを前記板に対向して横方向又は縦方向に移動させる駆動部とを備えることを特徴とする。なお、前記読取りユニットは、密着光学系を構成するロッドレンズアレイ及び密着イメージセンサで構成することが望ましいが、縮小光学系で構成してもよい。また、前記読取りユニットは、板の表面又は背面に沿って移動可能に構成する。
【０００８】
また、本発明の画像読取装置において、前記板を表示装置の表示画面の前面に付設することを特徴とする。前記表示装置の表示画面は例えば液晶ディスプレイで構成される。なお、これに限定するものではなく、ＣＲＴ（Cathode Ray Tube）、プラズマディスプレイなどが挙げられる。
【０００９】
また、本発明の画像読取装置において、前記板を壁面又は壁面に掛けられたボードの前面に付設することを特徴とする。なお、本発明の画像読取装置の読取りユニットは、密着光学系又は縮小光学系で構成する。
【００１０】
また、本発明の画像読取装置において、前記板は当該板にセットする前記読取り原稿の下辺を支える支え部を備えることを特徴とする。また、本発明の画像読取装置において、前記板は当該板にセットする前記読取り原稿を挟むことで前記読取り原稿の倒れ込みを防止する挟みガイドを備えることを特徴とする。
【００１１】
また、本発明の画像読取装置において、前記読取りユニットを副走査方向の起点側から終点側へと移動させて読取り動作を行った後に前記終点側で停止し、次に読取り動作を行う時に前記読取りユニットを前記終点側から前記起点側へと移動させて読取り動作を行うことを特徴とする。
【発明の効果】
【００１２】
この発明により、以下に示すような効果が期待できる。
【００１３】
本発明の画像読取装置によれば、他の装置に略垂直に付設した状態で読取り原稿をセットする透明板又は半透明板で形成する板と、前記板の表面又は裏面にセットする前記読取り原稿を読取る読取りユニットと、前記読取りユニットを前記板に対向して横方向又は縦方向に移動させる駆動部とを備えるので、他の装置に略垂直に付設した板によって縦置きのフラットベッド型の画像読取装置を構成し、板にセットした読取り原稿の画像データを取り込むことができる。これにより、他の装置に付設した縦置きのフラットベッド型の画像読取装置を提供することができるので、設置面積を縮小した画像読取装置を提供できる。また、読取り原稿の供給、排出といった原稿搬送スペースを必要としないので、画像読取装置の使用状態（原稿読取り状態）での作業スペースをも縮小できるようにして設置スペースを小さくすることを可能にする画像読取装置を提供することができる。
【００１４】
さらに、本発明の画像読取装置によれば、前記板は、表示装置の表示画面の前面に付設するので、読取った原稿画像を前記表示装置の表示画面に表示することができる。特に、前記読取りユニットを前記板に対向して縦方向に移動させる場合は、前記板は、表示装置の表示画面の片側前面に付設させ、読取った読取り原稿を取り除かなくても前記表示装置の表示画面の前記板を付設していない画面上に読取った原稿画像を表示することができる。このため、前記読取りユニットを前記板に対向して縦方向に移動させる場合は、画像読取装置を付設する表示装置の表示画面の表示領域を十分に確保することができる。
【００１５】
さらに、本発明の画像読取装置によれば、前記板は、壁面又は壁面に掛けられたボードの前面に付設するので、例えば、家庭内にある壁面や壁面に掛けられたボードに本発明の画像読取装置を装着し、当該画像読取装置に回覧資料や配付資料をセットして、回覧資料や配付資料を取り外すことなくその画像データを取り込むことができるので、壁掛けスキャナとして使用することができる。
【００１６】
さらに、本発明の画像読取装置によれば、前記板は、当該板にセットする前記読取り原稿の下辺を支える支え部を備える、あるいは、当該板にセットする前記読取り原稿を挟むことで前記読取り原稿の倒れ込みを防止する挟みガイドを備えるので、板にセットする原稿を位置決めするとともに、板にセットする原稿が板から浮き上がることを防止して、板にセットする原稿を正確にその位置に保持することができることから、板にセットする読取り原稿の画像データを正確に取り込むことができる。
【００１７】
さらに、本発明の画像読取装置によれば、前記読取りユニットを副走査方向の起点側から終点側へと移動させて読取り動作を行った後に前記終点側で停止し、次に読取り動作を行う時に前記読取りユニットを前記終点側から前記起点側へと移動させて読取り動作を行うので、読取り処理において、双方向読取りを行うことにより、複数枚の読取り原稿を読取る場合に読取り動作時間を短縮することができる。
【発明を実施するための最良の形態】
【００１８】
図１ないし図９に基づいて、この発明を実施するための最良の形態を説明する。
【００１９】
図１は、この発明の画像読取装置の１実施例の要部の斜視図である。図２は、図１の側面を示す説明図である。図１及び図２において、板２は透明板又は半透明板で形成しており、固定具１２によって表示装置１０の表示画面の前面に装着する。板２の前面には、密着光学系を構成するロッドレンズアレイ及び密着イメージセンサで構成する読取りユニット３を配置する。読取りユニット３は、板２の上部前面に設けるカバー８の内部に構成する駆動部によって板２の前面に沿って横方向（副走査方向）に移動可能に構成している。なお、駆動部の詳細は後述する。
【００２０】
また、板２の表面には板２の下部に形成する透明板又は半透明板で形成する支え部６と、板２の左側に形成する透明板又は半透明板で形成する原稿突き当て部２ａと、板２の上部に当該板２にセットする読取り原稿５を挟むことで読取り原稿５の倒れ込みを防止する弾性部材からなる薄板で形成する挟みガイド９を備えている。読取り原稿５は、前記の原稿突き当て部２ａ及び支え部６に突き当てることによって板２の表面に位置決めしてセットする。これにより、前記の読取りユニット３が横方向（副走査方向）に移動することによって板２の表面にセットする読取り原稿５を読取ることができる。
【００２１】
図３は、この発明の画像読取装置の駆動部の１実施例の説明図である。図３において、ガイド軸７は、前記の板２の上部前面に設けるカバー８の内部に横方向（副走査方向）に設けている。読取りユニット３は、その一端を前記のガイド軸７に装着して前記のガイド軸７に沿って移動可能にする。また、読取りユニット３は、モータ４ａと、当該モータ４ａに直結するローラ４ｂと、当該ローラ４ｂの両側にローラ４ｃ、ローラ４ｄを備えている。前記のローラ４ｂ、ローラ４ｃ、ローラ４ｄには、前記のカバー８の内部に横方向に延びるワイヤ４ｅを張っており、読取りユニット３自身がワイヤ４ｅ及びガイド軸７に沿って移動するように構成する。
【００２２】
図４は、この発明の画像読取装置の他の実施例の要部の斜視図である。図４において、板２は透明板又は半透明板で形成しており、図示しない固定具によって表示装置１０の表示画面１１の左側前面に装着する。板２の前面には、密着光学系を構成するロッドレンズアレイ及び密着イメージセンサで構成する読取りユニット３を配置する。当該読取りユニット３は、板２の左側前面に設けるカバー８の内部に構成する前述の図３に示した駆動部と同様の構成を持つ駆動部によって板２の前面に沿って縦方向（副走査方向）に移動可能に構成している。
【００２３】
また、板２の表面には板２の下部に形成する透明板又は半透明板で形成する支え部６と、板２の右側に形成する透明板又は半透明板で形成する原稿突き当て部２ａと、板２の上部に当該板２にセットする読取り原稿５を挟むことで読取り原稿５の倒れ込みを防止する弾性部材からなる薄板で形成する図示しない挟みガイドを備えている。読取り原稿５は、前記の原稿突き当て部２ａ及び支え部６に突き当てることによって板２の表面に位置決めしてセットする。これにより、前記の読取りユニット３が縦方向（副走査方向）に移動することによって板２の表面にセットする読取り原稿５を読取ることができる。
【００２４】
図１ないし図４に示した形態では、前記板２は、表示装置１０の表示画面１１の前面に付設させ、読取った読取り原稿５の原稿画像を前記表示装置１０の表示画面１１に表示することができる。特に、図４に示した形態では、前記板２は、表示装置１０の表示画面１１の左側前面に付設させ、読取った読取り原稿５を取り除かなくても前記表示装置１０の表示画面１１の右側に読取った読取り原稿５の原稿画像を表示することができる。このため、前記読取りユニット３を前記板２に対向して縦方向に移動させる場合は、表示装置１０の表示画面１１の表示領域を十分に確保することができる。
【００２５】
図５は、この発明の画像読取装置の説明図である。図５において、読取りユニット３は双方向読取り可能に構成する。即ち、前記読取りユニット３を副走査方向の起点側から終点側へと移動（矢印で示す副走査方向ａ）させて読取り動作を行った後に前記終点側で停止し、次に読取り動作を行う時に前記読取りユニット３を前記終点側から前記起点側へと移動（矢印で示す副走査方向ｂ）させて読取り動作を行う。なお、副走査方向ｂによる読取り動作において、取り込む画像データは主走査方向及び副走査方向において画像データを反転して出力する。即ち、反転処理は、例えば１ページごとに取り込む画像データを１８０度回転させて画像データとして出力する。
【００２６】
図６は、この発明の画像読取装置を設置する説明図である。図６において、本発明の付設型の画像読取装置は、例えば、パーソナルコンピュータの表示部に付設することが可能であり、特別の設置スペースを必要としない。また、読取り原稿の供給、排出といった原稿搬送スペースをとらないので、画像読取装置の使用状態（原稿読取り状態）での作業スペースも縮小することで、使い勝手の良い装置を提供することができる。
【００２７】
次に、他の実施例について説明する。
【００２８】
図７は、この発明の画像読取装置の他の実施例の要部の斜視図である。図７において、板２は透明板又は半透明板で形成しており、固定具１２によって壁面又は壁面に掛けられたボード２０の前面に装着する。板２の前面には、密着光学系を構成するロッドレンズアレイ及び密着イメージセンサで構成する読取りユニット３を配置する。読取りユニット３は、板２の上部前面に設けるカバー８の内部に構成する前述の図３に示した駆動部によって板２の前面に沿って横方向（副走査方向）に移動可能に構成している。
【００２９】
また、板２の表面には板２の下部に形成する透明板又は半透明板で形成する支え部６と、板２の左側に形成する透明板又は半透明板で形成する原稿突き当て部２ａと、板２の上部に当該板２にセットする読取り原稿５を挟むことで読取り原稿５の倒れ込みを防止する弾性部材からなる薄板で形成する図示しない挟みガイドを備えている。読取り原稿５は、前記の原稿突き当て部２ａ及び支え部６に突き当てることによって板２の表面に位置決めしてセットする。これにより、前記の読取りユニット３が横方向（副走査方向）に移動することによって板２の表面にセットする読取り原稿５を読取ることができる。
【００３０】
これにより、例えば、家庭内にあるボードや壁には町内会の回覧資料や子供達の学校から持参する配付資料等が掛けてある。従来のフラットベッド型の画像読取装置、あるいは自動給紙型の画像読取装置では、家庭内にあるボードや壁に掛けてある前記の回覧資料や配付資料等を取り外して他の場所に設置している画像読取装置によって取り外した回覧資料や配付資料等を読取り、読取った後にボードや壁に掛ける必要がある。しかし、図７に示す画像読取装置は、例えば家庭内にある壁面又はボード２０にこの発明の画像読取装置を装着することで、当該画像読取装置に回覧資料や配付資料をセットして、当該回覧資料や配付資料を取り外すことなく読取ることができる。
【００３１】
図８は、この発明の画像読取装置の他の実施例の要部の斜視図である。図９は、図８の側面を示す説明図である。図８及び図９において、板２は透明板又は半透明板で形成しており、固定具１２によって壁面又はボード２０の前面に装着する。板２の前面には、縮小光学系で構成する読取りユニット３を配置する。読取りユニット３は、板２の上部前面に設けるカバー８の内部に構成する前述の図３に示した駆動部によって板２の前面に沿って横方向（副走査方向）に移動可能に構成している。
【００３２】
また、板２の裏面には板２の下部に形成する透明板又は半透明板で形成する支え部６と、板２の左側に形成する透明板又は半透明板で形成する原稿突き当て部２ａとを備えている。読取り原稿５は、前記の板２の裏面に形成する原稿突き当て部２ａ及び支え部６に突き当てることによって板２の裏面に位置決めしてセットする。これにより、前記の読取りユニット３が横方向（副走査方向）に移動することによって板２の裏面にセットする読取り原稿５を読取ることができる。
【００３３】
この構成では、板２の裏面にセットする読取り原稿５を読取る場合に、読取り原稿５を読取ることに加えて、例えば、板２が透明板又は半透明板で形成しているので、板２の表面にメモ書き３０をして板２の裏面にセットする読取り原稿５と、板２の表面にメモ書き３０したメモ書き情報とを同時に読取ることで、読取り原稿５及びメモ書き３０の画像データを同時に取り込むことができる。
【００３４】
なお、図１ないし図９に示した画像読取装置において、取り込む画像データを格納する画像記憶部を当該画像読取装置に構成するか、又は、パーソナルコンピュータの本体装置等に画像データを送信するための接続部を構成する。
【図面の簡単な説明】
【００３５】
【図１】この発明の画像読取装置の１実施例の要部の斜視図である。
【図２】図１の側面を示す説明図である。
【図３】この発明の画像読取装置の駆動部の１実施例の説明図である。
【図４】この発明の画像読取装置の他の実施例の要部の斜視図である。
【図５】この発明の画像読取装置の説明図である。
【図６】この発明の画像読取装置を設置する説明図である。
【図７】この発明の画像読取装置の他の実施例の要部の斜視図である。
【図８】この発明の画像読取装置の他の実施例の要部の斜視図である。
【図９】図８の側面を示す説明図である。
【符号の説明】
【００３６】
２：板
２ａ：原稿突き当て部
３：読取りユニット
４：駆動部
４ａ：モータ
４ｂ、４ｃ、４ｄ：ローラ
４ｅ：ワイヤ
５：読取り原稿
６：支え部
７：ガイド軸
８：カバー
９：挟みガイド
１０：表示装置
１１：表示画面
１２：固定具
２０：壁面（ボード）
【図１】
2007142707.tif 000003
【図２】
2007142707.tif 000004
【図３】
2007142707.tif 000005
【図４】
2007142707.tif 000006
【図５】
2007142707.tif 000007
【図６】
2007142707.tif 000008
【図７】
2007142707.tif 000009
【図８】
2007142707.tif 000010
【図９】
2007142707.tif 000011